【手続補正書】
【提出日】平成18年10月13日(2006.10.13)
【手続補正１】
【補正対象書類名】明細書
【補正対象項目名】特許請求の範囲
【補正方法】変更
【補正の内容】
【特許請求の範囲】
【請求項１】電気化学エネルギーの貯蔵装置のための電解液であって、
前記電解液は、
ａ）水と、エチレングリコール、ポリエチレングリコール、ホルムアミド、ジメチルホルムアミドおよびγ‐ブチロラクトン、並びに上記物質の混合物からなる群から選択される少なくとも１種類の第２溶媒との混合溶媒であって、約８５重量％以下の前記水が存在し、約９５重量％以下の前記第２溶媒が存在することを特徴とするもの、
ｂ）前記溶媒中に溶解されたアンモニウム塩、および、
ｃ）酸、
だけからなることを特徴とする電解液。
【請求項２】前記アンモニウム塩は酢酸アンモニウム、ギ酸アンモニウム、リンゴ酸水素アンモニウムおよびリン酸水素アンモニウム、並びに上記物質の混合物からなる群から選択されることを特徴とする請求項１に記載の電解液。
【請求項３】  前記酸はクエン酸、シュウ酸、ギ酸、マレイン酸、リン酸、マロン酸、モルティック酸、硫酸、アジピン酸、コハク酸、硝酸および酢酸、並びに上記物質の混合物からなる群から選択されることを特徴とする請求項１に記載の電解液。
【請求項４】約１〜約７のｐＨを有することを特徴とする請求項１に記載の電解液。
【請求項５】コンデンサーのための電解液であって、
前記電解液は、
ａ）水とエチレングリコールとの混合溶媒であって、約８５重量％以下の前記水が存在し、約９５重量％以下の前記エチレングリコールが存在することを特徴とするもの、
ｂ）酢酸アンモニウムからなる溶質、および、
ｃ）酢酸およびリン酸からなる混合酸、
からなることを特徴とする電解液。
【請求項６】約５０重量％以下の前記酢酸アンモニウムが存在することを特徴とする請求項５に記載の電解液。
【請求項７】約８０重量％以下の前記酢酸が存在し、約６重量％以下の前記リン酸が存在することを特徴とする請求項５に記載の電解液。
【請求項８】前記コンデンサーは酸化ルテニウムのカソードとタンタルのアノードとからなることを特徴とする請求項５に記載の電解液。
【請求項９】前記酸化ルテニウムはチタン製の基板上に設けられていることを特徴とする請求項８に記載の電解液。
【請求項１０】ａ）弁金属からなるアノード、
ｂ）酸化ルテニウムからなるカソード、および、
ｃ）前記アノードおよび前記カソードを活性化する電解液からなり、
前記電解液は、
ｉ）水とエチレングリコールとの混合溶媒であって、約８５重量％以下の前記水が存在し、約９５重量％以下の前記エチレングリコールが存在することを特徴とするもの、
ｉｉ）前記溶媒中に溶解されたアンモニウム塩、および、
ｉｉｉ）酸、
からなることを特徴とするコンデンサー。
【請求項１１】前記電解液は約５０重量％以下の酢酸アンモニウムを含むことを特徴とする請求項１０に記載のコンデンサー。
【請求項１２】前記電解液は約８０重量％以下の酢酸と、約６重量％以下のリン酸とを含むことを特徴とする請求項１０に記載のコンデンサー。
【請求項１３】酸化ルテニウムのカソードとタンタルのアノードとからなる請求項１０に記載のコンデンサー。
【請求項１４】前記酸化ルテニウムはチタン製の基板上に設けられていることを特徴とする請求項１０に記載のコンデンサー。
【請求項１５】前記電解液は約４９．４１重量％の脱イオン水と、約１９．４５重量％のエチレングリコールと、約１５．５５重量％の酢酸アンモニウムと、約０．３１重量％のリン酸と、約１５．２８重量％の酢酸とを含むことを特徴とする請求項１０に記載のコンデンサー。
【請求項１６】定格が約１７５ボルトであることを特徴とする請求項１５に記載のコンデンサー。
【請求項１７】前記電解液は約４４．４６重量％の脱イオン水と、約３４．６１重量％のエチレングリコールと、約１０．０４重量％の酢酸アンモニウムと、約０．５１重量％のリン酸と、約１０．３９重量％の酢酸とを含むことを特徴とする請求項１０に記載のコンデンサー。
【請求項１８】定格が約２００ボルトであることを特徴とする請求項１７に記載のコンデンサー。
【請求項１９】前記電解液は約４６．５２重量％の脱イオン水と、約３６．０５重量％のエチレングリコールと、約８．２９重量％の酢酸アンモニウムと、約０．４４重量％のリン酸と、約８．７０重量％の酢酸とを含むことを特徴とする請求項１０に記載のコンデンサー。
【請求項２０】定格が約２５０ボルトであることを特徴とする請求項１９に記載のコンデンサー。
【請求項２１】前記電解液は約４６．５９重量％の脱イオン水と、約４１．４５重量％のエチレングリコールと、約５．６０重量％の酢酸アンモニウムと、約０．４８重量％のリン酸と、約５．８８重量％の酢酸とを含むことを特徴とする請求項１０に記載のコンデンサー。
【請求項２２】定格が約２５０ボルトであることを特徴とする請求項２１に記載のコンデンサー。
【請求項２３】前記電解液は約５１．９４重量％の脱イオン水と、約４０．２９重量％のエチレングリコールと、約３．５４重量％の酢酸アンモニウムと、約０．５９重量％のリン酸と、約３．６４重量％の酢酸とを含むことを特徴とする請求項１０に記載のコンデンサー。
【請求項２４】定格が約３００ボルトであることを特徴とする請求項２３に記載のコンデンサー。
【請求項２５】電解液を製造する方法であって、
ａ）水とエチレングリコールとを混合した溶媒混合物であって、約８５重量％以下の前記水が存在し、約９５重量％以下の前記エチレングリコールが存在することを特徴とするものを調製する工程、
ｂ）前記溶媒混合物中にアンモニウム塩を溶解する工程、および、
ｃ）前記溶媒混合物中に酸を提供する工程、
だけからなることを特徴とする方法。
【請求項２６】前記アンモニウム塩は酢酸アンモニウム、ギ酸アンモニウム、リンゴ酸水素アンモニウムおよびリン酸水素アンモニウム、並びに上記物質の混合物からなる群から選択されることを特徴とする請求項２５に記載の方法。
【請求項２７】前記酸はクエン酸、シュウ酸、ギ酸、マレイン酸、リン酸、マロン酸、モルティック酸、硫酸、アジピン酸、コハク酸、硝酸および酢酸、並びに上記物質の混合物からなる群から選択されることを特徴とする請求項２５に記載の方法。
【請求項２８】コンデンサーを製造する方法であって、
ａ）タンタルからなるアノードを用意する工程、
ｂ）酸化ルテニウムからなるカソードを用意する工程、
ｃ）前記アノードおよび前記カソードを電解液で活性化する工程からなり、
前記電解液は、
ｉ）水とエチレングリコールとの混合溶媒であって、約８５重量％以下の前記水が存在し、約９５重量％以下の前記エチレングリコールが存在することを特徴とするもの、
ｉｉ）前記溶媒中に溶解されたアンモニウム塩、および、
ｉｉｉ）酸、
からなることを特徴とする方法。
【請求項２９】前記電解液は約５０重量％以下の酢酸アンモニウムを含むことを特徴とする請求項２８に記載の方法。
【請求項３０】前記電解液は約８０重量％以下の酢酸と、約６重量％以下のリン酸とを含むことを特徴とする請求項２８に記載の方法。
【請求項３１】酸化ルテニウムのカソードとタンタルのアノードとからなる請求項２８に記載の方法。
【請求項３２】前記酸化ルテニウムはチタン製の基板上に設けられていることを特徴とする請求項２８に記載の方法。
【請求項３３】コンデンサーを活性化するための電解液であって、
前記電解液は、
ａ）水とエチレングリコールの混合溶媒、
ｂ）約５０重量％以下の酢酸アンモニウムからなる溶質、および、
ｃ）酢酸およびリン酸からなる混合酸、
だけからなることを特徴とする電解液。
【請求項３４】コンデンサーを活性化するための電解液であって、
前記電解液は、
ａ）水とエチレングリコールの混合溶媒、
ｂ）酢酸アンモニウムからなる溶質、および、
ｃ）酢酸およびリン酸からなる混合酸であって、約８０重量％以下の前記酢酸が存在し、約６重量％以下の前記リン酸が存在するもの、
だけからなることを特徴とする電解液。
【請求項３５】ａ）弁金属からなるアノード、
ｂ）酸化ルテニウムからなるカソード、および、
ｃ）前記アノードおよび前記カソードを活性化する電解液からなり、
前記電解液は、
ｉ）水とエチレングリコールとの混合溶媒、
ｉｉ）前記溶媒中に溶解されたアンモニウム塩であって、前記アンモニウム塩が約５０重量％以下の濃度で前記電解液中に存在する酢酸アンモニウムであることを特徴としているもの、および、
ｉｉｉ）酸、
からなることを特徴とするコンデンサー。
【請求項３６】ａ）弁金属からなるアノード、
ｂ）酸化ルテニウムからなるカソード、および
ｃ）前記アノードおよび前記カソードを活性化する電解液からなり、
前記電解液は、
ｉ）水とエチレングリコールとの混合溶媒、
ｉｉ）前記溶媒中に溶解されたアンモニウム塩、および、
ｉｉｉ）酢酸およびリン酸からなる混合酸であって、前記酢酸が約８０重量％以下の濃度で存在し、前記リン酸が約６重量％以下の濃度で存在するもの、
からなることを特徴とするコンデンサー。
【請求項３７】ａ）弁金属からなるアノード、
ｂ）酸化ルテニウムからなるカソード、および
ｃ）前記アノードおよび前記カソードを活性化する電解液であって、前記電解液が約４９．４１重量％の脱イオン水と、約１９．４５重量％のエチレングリコールと、約１５．５５重量％の酢酸アンモニウムと、約０．３１重量％のリン酸と、約１５．２８重量％の酢酸とを含んでいるもの、
からなることを特徴とするコンデンサー。
【請求項３８】定格が約１７５ボルトであることを特徴とする請求項３７に記載のコンデンサー。
【請求項３９】ａ）弁金属からなるアノード、
ｂ）酸化ルテニウムからなるカソード、および、
ｃ）前記アノードおよび前記カソードを活性化する電解液であって、前記電解液が約４４．４６重量％の脱イオン水と、約３４．６１重量％のエチレングリコールと、約１０．０４重量％の酢酸アンモニウムと、約０．５１重量％のリン酸と、約１０．３９重量％の酢酸とを含んでいるもの、
からなることを特徴とするコンデンサー。
【請求項４０】定格が約２００ボルトであることを特徴とする請求項３９に記載のコンデンサー。
【請求項４１】ａ）弁金属からなるアノード、
ｂ）酸化ルテニウムからなるカソード、および、
ｃ）前記アノードおよび前記カソードを活性化する電解液であって、前記電解液が約４６．５２重量％の脱イオン水と、約３６．０５重量％のエチレングリコールと、約８．２９重量％の酢酸アンモニウムと、約０．４４重量％のリン酸と、約８．７０重量％の酢酸とを含んでいるもの、
からなることを特徴とするコンデンサー。
【請求項４２】定格が約２５０ボルトであることを特徴とする請求項４１に記載のコンデンサー。
【請求項４３】ａ）弁金属からなるアノード、
ｂ）酸化ルテニウムからなるカソード、および、
ｃ）前記アノードおよび前記カソードを活性化する電解液であって、前記電解液が約４６．５９重量％の脱イオン水と、約４１．４５重量％のエチレングリコールと、約５．６０重量％の酢酸アンモニウムと、約０．４８重量％のリン酸と、約５．８８重量％の酢酸とを含んでいるもの、
からなることを特徴とするコンデンサー。
【請求項４４】定格が約２５０ボルトであることを特徴とする請求項４３に記載のコンデンサー。
【請求項４５】ａ）弁金属からなるアノード、
ｂ）酸化ルテニウムからなるカソード、および、
ｃ）前記アノードおよび前記カソードを活性化する電解液であって、前記電解液が約５１．９４重量％の脱イオン水と、約４０．２９重量％のエチレングリコールと、約３．５４重量％の酢酸アンモニウムと、約０．５９重量％のリン酸と、約３．６４重量％の酢酸とを含んでいるもの、
からなることを特徴とするコンデンサー。
【請求項４６】定格が約３００ボルトであることを特徴とする請求項４５に記載のコンデンサー。
【請求項４７】コンデンサーを製造する方法であって、
ａ）タンタルからなるアノードを用意する工程、
ｂ）酸化ルテニウムからなるカソードを用意する工程、
ｃ）前記アノードおよび前記カソードを電解液で活性化する工程からなり、
前記電解液は、
ｉ）水とエチレングリコールとの混合溶媒、
ｉｉ）前記溶媒中に溶解されたアンモニウム塩であって、約５０重量％以下の前記アンモニウム塩が存在する酢酸アンモニウムであることを特徴とするもの、および、
ｉｉｉ）酸、
からなることを特徴とする方法。
【請求項４８】コンデンサーを製造する方法であって、
ａ）タンタルからなるアノードを用意する工程、
ｂ）酸化ルテニウムからなるカソードを用意する工程、
ｃ）前記アノードおよび前記カソードを電解液で活性化する工程からなり、
前記電解液は、
ｉ）水とエチレングリコールとの混合溶媒、
ｉｉ）前記溶媒中に溶解されたアンモニウム塩、および、
ｉｉｉ）酢酸およびリン酸からなる混合酸であって、前記酢酸が約８０重量％以下の濃度で存在し、前記リン酸が約６重量％以下の濃度で存在するもの、
からなることを特徴とする方法。
【手続補正２】
【補正対象書類名】明細書
【補正対象項目名】０００６
【補正方法】変更
【補正の内容】
【０００６】
本発明の電解液は、電解液コンデンサーおよび電気化学コンデンサーなどの種々の電気貯蔵装置において使用される部品や材料と化学反応を起こさない。このようなタイプのコンデンサーは、半導電性または擬似容量性のコーティングを備えたチタンやタンタルなどの導電性金属からなるカソードを有している。このコーティングは、酸化物、窒化物、カーバイドまたは窒化炭素であってもよい。好適なカソード電極は、チタン基板に設けられた多孔性の酸化ルテニウム膜からなる。アノードは、バナジウム、ニオブおよびタンタルからなる群からなる弁金属から構成されている。好適なアノードは焼結タンタルからなる。カソード電極およびアノード電極は、好適なセパレーター材料によって互いに分離されている。このようなコンデンサーは、米国特許第５，８９４，４０３号、同第５，９２０，４５５号、および同第５，９２６，３６２号に記載されている。これらの特許は、本発明の譲受人に譲り受けられており、ここに参照として組み込まれる。